(57)【要約】  部品点数を少なくして、開口部に対して開閉体を閉じた状態に安定して保持することができる、開閉体のロック装置を提供する。  このロック装置１０は、ハウジング２０と、回転部材５０と、一対のリンクロッド７０，７１と、回転部材５０を回転付勢するスプリングと、ハウジング２０に対して押し込み可能に取付けられた操作部材と、ハウジング２０に対して回動可能で、かつ、キー突起８５が突設された回動体８３を有していると共に、ハウジング２０に対して、操作部材とは別体で取付けられたキーシリンダ８０とを備え、キーシリンダ８０の回動体８３を回動させることで、キー突起８５がリンクロッド７０の係合部７８に係合して、そのスライド動作が規制されるように構成されている。
2014030531.tif 000002
【特許請求の範囲】
【請求項１】
固定体の開口部に開閉可能に取付けられる開閉体のロック装置であって、
前記開閉体の両側又は前記固定体の開口部両側のどちらか一方に設けられたロック部と、
前記開閉体又は前記固定体のどちらか他方に取付けられたハウジングと、
該ハウジングに回転可能に装着された回転部材と、
前記回転部材の回転に連動して同期してスライド動作し、先端に形成されたフック部が前記ロック部に係脱する一対のリンクロッドと、
前記リンクロッドの各フック部を前記ロック部に係合させる方向に、前記リンクロッドを付勢するスプリングと、
前記ハウジングに取付けられ、前記一対のリンクロッドの各フック部を、前記スプリングの付勢力に抗して前記ロック部に係合しない方向にスライドさせる操作部材と、
前記ハウジングに対して回動可能で、かつ、キー突起が突設された回動体を有していると共に、前記ハウジングに前記操作部材とは別体で取付けられたキーシリンダとを備え、
前記キーシリンダの回動体を回動させることにより、前記キー突起が前記一対のリンクロッドの一方又は前記回転部材に係合して、前記一対のリンクロッドの各フック部が、前記ロック部に係合しない方向にスライドするのを規制するように構成されていることを特徴とする開閉体のロック装置。
【請求項２】
前記一対のリンクロッドは、前記キーシリンダの回動体の回動平面に対して垂直な方向から見て、前記回転部材の回転中心が両リンクロッドの内側辺の間に配置されるように、内側辺どうしが対向して配置され、該一対のリンクロッドの対向した内側辺のうち、一方のリンクロッドの内側辺に、前記キー突起が係合する係合部が設けられており、前記キーシリンダは、前記リンクロッドのスライド方向において、前記回転部材の側方に位置するように、前記ハウジングに取付けられている請求項１記載の開閉体のロック装置。
【請求項３】
前記キーシリンダの回動体の回動中心が、前記一対のリンクロッドの対向した内側辺を含む面どうしの間に位置するように、前記ハウジングに取付けられている請求項２記載の開閉体のロック装置。
【請求項４】
前記キー突起が前記リンクロッドの係合部に係合して、前記一対のリンクロッドの各フック部が、前記ロック部に係合しない方向にスライドするのを規制された状態で、前記キー突起と、前記回動体の回動中心とが、前記リンクロッドのスライド方向に沿って配置されるように構成されている請求項２又は３記載の開閉体のロック装置。
【発明の詳細な説明】
【技術分野】
【０００１】
本発明は、固定体の開口部に開閉可能に取付けられる開閉体を閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部をリッド等で閉じた状態にロックすると共に、開口部からリッド等を開いた状態とするためのロック装置が設けられている。また、開口部に対してリッド等をロックした状態に維持するために、キーシリンダを採用したロック装置が広く用いられている。【０００３】
例えば、下記特許文献１には、パネル開口部に開閉可能に装着されたボックス及びドアと、これらを閉鎖状態でロックするロック機構と、ロックを解除するロック解除装置とを備え、ロック機構は、ドアに沿って移動可能に設けられた係合部と、該係合部を係入させる係合孔を有するベゼルとを備え、ロック解除装置は、操作ノブと、操作ノブの操作に連動して、係合孔に係入した係合部を外側に押し出して、ロック機構によるロックを解除する押出ピンとを備えた、グラブボックスが記載されている。【０００４】
前記ロック解除装置は、箱状の装置本体を有しており、裏面からピンが突設された操作ノブが押し込み可能に装着されていると共に、キーシリンダが回動可能に配置され、かつ、装置本体の下方に上下スライド可能なストッパ部材が収納されている。【０００５】
そして、キーをキーシリンダに差し込んで回動させると、キーシリンダ裏面の突起がストッパ部材を上下スライドさせて、ストッパ部材を操作ノブのピンに係脱させ、操作ノブの押し込みが規制されて、パネル開口部に対するボックス及びドアのロック解除が制限される。【０００６】
下記特許文献２には、ケースと、このケースに回動可能に装着されたノブと、ケースに水平方向に互いに反対方向に摺動可能となるように支持された第１摺動部材及び第２摺動部材と、各摺動部材にそれぞれ取付けられ、リッドの左右両側から出没可能とされた第１ステー及び第２ステーとを有するサイドロック装置が開示されている。【０００７】
前記第１摺動部材には、上方が幅広で下方が幅狭とされたキーロック用の凹部が設けられていると共に、前記ノブには、キーシリンダが装着されており、その裏面先端には、第１摺動部材の凹部に入り込んで、第１摺動部材を駆動するための突起が設けられている。【０００８】
そして、キーシリンダの突起が、第１摺動部材の幅広の凹部上方に位置する場合には、ノブが回動可能とされ、その状態でケースに対してノブを回動させると、キーシリンダも共に回動して、突起が凹部内面を押圧して第１摺動部材を引き込ませるようになっている。一方、キーシリンダの突起が、第１摺動部材の幅狭の凹部下方に入り込んだ場合には、ノブの回動が規制されて、第１摺動部材の摺動が阻止されるようになっている。
【先行技術文献】
【特許文献】
【０００９】
【特許文献１】特開２００９−２６９５７２号公報
【特許文献２】特開２００４−２１１３８３号公報
【発明の概要】
【発明が解決しようとする課題】
【００１０】
上記特許文献１のグラブボックスの場合、キーシリンダのほかに、ストッパ部材が必要であり、部品点数が多いという不都合があった。【００１１】
一方、上記特許文献２のサイドロック装置の場合、ノブにキーシリンダが装着されているため、ノブが回動していない状態では、第１摺動部材の凹部内面に対するキーシリンダの突起の係合しろが大きく、ノブを開く方向に回動させると、凹部内面に対する突起の係合しろが減少することとなり、ノブの回動状態によって、凹部内面に対する突起の係合しろが変動するようになっている。【００１２】
そのため、キーシリンダの突起が幅狭の凹部下方に入り込んだ状態で、外力等によってノブが開く方向に回動してしまうと、凹部内面に対するキーシリンダの突起の係合しろが減少するおそれがあり、第１摺動部材を摺動しないように保持することができないことがある。【００１３】
したがって、本発明の目的は、部品点数を少なくして、開口部に対して開閉体を閉じた状態に安定して保持することができる、開閉体のロック装置を提供することにある。
【課題を解決するための手段】
【００１４】
上記目的を達成するため、本発明は、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに取付けられ、前記一対のリンクロッドの各フック部を、前記スプリングの付勢力に抗して前記ロック部に係合しない方向にスライドさせる操作部材と、前記ハウジングに対して回動可能で、かつ、キー突起が突設された回動体を有していると共に、前記ハウジングに前記操作部材とは別体で取付けられたキーシリンダとを備え、前記キーシリンダの回動体を回動させることにより、前記キー突起が前記一対のリンクロッドの一方又は前記回転部材に係合して、前記一対のリンクロッドの各フック部が、前記ロック部に係合しない方向にスライドするのを規制するように構成されていることを特徴とする開閉体のロック装置を提供するものである。【００１５】
本発明の開閉体のロック装置においては、前記一対のリンクロッドは、前記キーシリンダの回動体の回動平面に対して垂直な方向から見て、前記回転部材の回転中心が両リンクロッドの内側辺の間に配置されるように、内側辺どうしが対向して配置され、該一対のリンクロッドの対向した内側辺のうち、一方のリンクロッドの内側辺に、前記キー突起が係合する係合部が設けられており、前記キーシリンダは、前記リンクロッドのスライド方向において、前記回転部材の側方に位置するように、前記ハウジングに取付けられていることが好ましい。【００１６】
本発明の開閉体のロック装置においては、前記キーシリンダの回動体の回動中心が、前記一対のリンクロッドの対向した内側辺を含む面どうしの間に位置するように、前記ハウジングに取付けられていることが好ましい。【００１７】
本発明の開閉体のロック装置においては、前記キー突起が前記リンクロッドの係合部に係合して、前記一対のリンクロッドの各フック部が、前記ロック部に係合しない方向にスライドするのを規制された状態で、前記キー突起と、前記回動体の回動中心とが、前記リンクロッドのスライド方向に沿って配置されるように構成されていることが好ましい。
【発明の効果】
【００１８】
本発明によれば、固定体の開口部を開閉体で閉じて、一対のリンクロッドの各フック部をロック部に係合させた状態で、キーシリンダの回動体を回動させると、キー突起が、リンクロッドの一方に係合するか、或いは、回転部材に係合して、リンクロッドのスライド動作が直接又は間接的に規制されて、固定体の開口部を開閉体で閉じた状態にロックすることができる。【００１９】
そして、キーシリンダは、操作部材とは別体でハウジングに取付けられているので、操作部材と連動して動くことが防止され、キー突起の、リンクロッド又は回転部材に対する係合しろが維持されて、キー突起をリンクロッド又は回転部材に係合させた状態に確実に保持することができ、その結果、リンクロッドのスライド動作を確実に規制して、固定体の開口部に開閉体を閉じた状態に安定して保持することができる。また、キーシリンダのキー突起を利用して、リンクロッドの一方のスライド動作又は回転体の回転動作を規制して、それによりリンクロッドのスライド動作を規制するように構成したので、ロック装置の部品点数を削減して簡単な構造にすることができる。
【図面の簡単な説明】
【００２０】
【図１】本発明に係る開閉体のロック装置の一実施形態を示す分解斜視図である。
【図２】同ロック装置を背面側から見た斜視図である。
【図３】同ロック装置を構成するハウジングを示しており、（ａ）はその斜視図、（ｂ）は（ａ）とは異なる方向から見た斜視図である。
【図４】同ロック装置を構成する回転部材を示しており、（ａ）はその斜視図、（ｂ）は（ａ）とは異なる方向から見た斜視図である。
【図５】同ロック装置を構成する操作部材を示しており、（ａ）はその斜視図、（ｂ）は（ａ）とは異なる方向から見た斜視図である。
【図６】同ロック装置であって、操作部材を取り除いた状態での、要部拡大正面図である。
【図７】同ロック装置において、回転部材及び操作部材を示す拡大背面図である。
【図８】同ロック装置の要部拡大背面図である。
【図９】図８の状態からキーシリンダを動作させた場合の要部拡大背面図である。
【図１０】同ロック装置の要部拡大平面図である。
【図１１】同ロック装置を用いて開閉体を閉じた状態を示しており、（ａ）はその平面図、（ｂ）は正面図である。
【図１２】同ロック装置を用いて開閉体を開いた状態を示しており、（ａ）はその平面図、（ｂ）は正面図である。
【図１３】本発明に係る開閉体のロック装置の他の実施形態を示す、要部拡大斜視図である。
【図１４】同ロック装置において、背面側から見た要部拡大斜視図である。
【図１５】同ロック装置を構成する回転部材を示しており、（ａ）はその斜視図、（ｂ）は（ａ）とは異なる方向から見た斜視図である。
【図１６】同ロック装置の要部拡大背面図である。
【図１７】図１６の状態からキーシリンダを動作させた場合の要部拡大背面図である。
【発明を実施するための形態】
【００２１】
以下、図１〜１２を参照して、本発明に係る開閉体のロック装置の一実施形態について説明する。
【００２２】
図１に示すように、この実施形態における開閉体のロック装置１０（以下、「ロック装置１０」という）は、車両のインストルメントパネルに設けられたグローブボックス１（本発明における「固定体」）の開口部２に、開閉可能に取付けられるリッド５（本発明における「開閉体」）を開閉ロックするために用いられるものである。
【００２３】
図１２に示すように、前記グローブボックス１の開口部２の両側部内面には、凹状のロック部３，３が設けられている。また、図１に示すように、前記リッド５は、長孔状の取付孔６ａが形成されたパネル６と、該パネル６の裏側上方に配設されたボックス７とを有し、その下部両側の支持片８を介して、グローブボックス１の開口部２に開閉可能に取付けられている。前記パネル６と前記ボックス７との間の内部空間に、ロック装置１０が配置されるようになっている。また、ボックス７の幅方向両側からは、ロッド挿出孔７ａ，７ａがそれぞれ形成されている。
【００２４】
そして、この実施形態におけるロック装置１０は、図１に示すように、前記リッド５に取付けられたハウジング２０と、該ハウジング２０の正面側に装着されるベゼル４０と、前記ハウジング２０に回転可能に装着された回転部材５０と、該回転部材５０に連結された一対のリンクロッド７０，７１と、これらのリンクロッド７０，７１の各フック部７３を、前記ロック部３，３に係合する方向となるように、前記回転部材５０を回転付勢するトーションスプリング９０と、前記回転部材５０の回転軸方向に沿って、ハウジング２０に押し込み可能に取付けられた操作部材６０と、前記ハウジング２０に対して前記操作部材６０を離れる方向に付勢するコイルスプリング９５と、回動体８３及びその背面から突設したキー突起８５（図３（ｂ）参照）を有すると共に、前記ハウジング２０に対して回動可能に装着され、前記リンクロッド７０，７１のスライド動作を規制するキーシリンダ８０とから主として構成されている。
【００２５】
図４（ａ）に示すように、前記トーションスプリング９０は、コイル部９１と、該コイル部９１の一端から延出した一端部９２と、前記コイル部９１の他端から延出した他端部９３とから形成され、本発明における「スプリング」をなしている。
【００２６】
図２及び図３に示すように、前記ハウジング２０は、前記リッド５の取付孔６ａに適合する横長の箱状をなし、その周壁２１の内部が仕切壁２３によって区切られて、回転部材５０や操作部材６０等が収容配置される四角枠状の凹部２４と、キーシリンダ８０が配置される円筒状のキーシリンダ配置部２５とが、ハウジング２０の幅方向に並列して設けられている。周壁２１の外周には、複数の取付片２１ａが延設されており、これらの取付片２１ａを介してリッド５にハウジング２０が取付けられるようになっている。
【００２７】
前記凹部２４の底部２４ａの正面側中央からは、円筒状の軸部２７（図３（ａ）参照）が正面開口側へ向けて突設されている。この軸部２７は、回転部材５０を回転可能に支持すると共に、コイルスプリング９５の一端部を支持し、かつ、トーションスプリング９０のコイル部９１を支持するようになっている（図４（ａ）及び図６参照）。
【００２８】
図２、図３（ｂ）及び図８に示すように、ハウジング２０の裏側であって、上下両側部及び中央部からは、ハウジング２０の長さ方向に沿って板状のガイド壁２９がそれぞれ突設されており、一対のリンクロッド７０，７１のスライドガイドをなしている。
【００２９】
前記凹部２４の底部２４ａには、軸部２７を中心にして、周方向に対向する位置に、円弧状のピン移動孔３１，３１が形成されている。一方のピン移動孔３１の一端部内周には、舌片状の規制片３３が延設され、他方のピン移動孔３１の仕切壁２３側の内周には、トーションスプリング９０の他端部９３が係止する、スプリング係止部３５が形成されている（図３（ａ）及び図６参照）。また、図６に示すように、凹部２４の内周には、複数のスライド孔３７が形成されている。
【００３０】
図１に示すように、ベゼル４０は、キーシリンダ配置穴４１及び操作部材配置穴４３を有する横長板状をなし、その外周には複数の係合片４５が設けられている。これらの係合片４５を、ハウジング２０の周壁２１外周に突設された係合爪２１ｂ（図３（ｂ）参照）に係合させることにより、ハウジング２０の正面側にベゼル４０が装着されるようになっている。
【００３１】
次に、図４（ａ），（ｂ）及び図６を参照して、上記ハウジング２０に回転可能に装着される回転部材５０について説明する。
【００３２】
この回転部材５０は円筒状の回転体５１を有しており、この回転体５１内に前記ハウジング２０の軸部２７が挿入されることで、回転部材５０がハウジング２０に回転可能に支持されるようになっている。
【００３３】
また、回転体５１の外周の対向部分からは、延出部５２，５２が延設されている。各延出部５２の先端部の裏面側からピン５３がそれぞれ突設されていると共に、基端部の表面側からカム突起５５がそれぞれ突設されている。各カム突起５５は、その先端面５５ａが円弧状をなすと共に、基端部に突部５５ｂが突設されており、更に、基端部の突部５５ｂの両側にはスプリング係止溝５５ｃがそれぞれ形成されている。前記突部５５ｂにはハウジング２０の規制片３３が係合して、回転部材５０のピン５３，５３がピン移動孔３１，３１から抜け外れるのを規制する部分となっている（図６参照）。
【００３４】
前記トーションスプリング９０は、そのコイル部９１が回転体５１の一端面周縁に当接して、軸部２７の先端外周に配置されると共に（図４（ａ）参照）、一端部９２が前記カム突起５５のスプリング係止溝５５ｃに係止され、他端部９５ｃが前記スプリング係止部３５（図６参照）に係止されて、ハウジング２０及び回転部材５０に装着される。前記回転部材５０は、このトーションスプリング９０により、図６の矢印Ａ１方向に回転付勢されるようになっている。
【００３５】
次に、上記回転部材５０に連結される一対のリンクロッド７０，７１について説明する。
【００３６】
図１及び図２に示すように、一対のリンクロッド７０，７１は、所定長さで直線状に伸びる形状をなしており、リンクロッド７０の方がリンクロッド７１よりも長く形成されている。
【００３７】
また、各リンクロッド７０，７１の先端には、外面がテーパ状をなしたフック部７３がそれぞれ形成されていると共に、各リンクロッド７０，７１の基端部側には凹状の嵌合凹部７５，７５がそれぞれ形成されている。これらの嵌合凹部７５，７５に、回転部材５０のピン５３，５３をそれぞれ嵌合させることで、一対のリンクロッド７０，７１は、回転部材５０の外周の対向する位置に、その基端部側が枢着されるようになっている（図２及び図８参照）。また、図２及び図８に示すように、キーシリンダ８０との関係で、一対のリンクロッド７０，７１は、キーシリンダ８０の回動体８３の回動平面に対して垂直な方向から見て、回転部材５０の回転中心Ｃ１が両リンクロッド７０，７１の内側辺７７，７７の間に配置されるように、内側辺７７，７７どうしが対向して配置されている。
【００３８】
そして、一対のリンクロッド７０，７１は、トーションスプリング９０により、図６の矢印Ａ１方向に回転付勢された回転部材５０を介して、グローブボックス１のロック部３，３に係合する方向となるように、フック部７３，７３が互いに離れるように付勢されるようになっている。
【００３９】
この実施形態においては、ハウジング２０の裏面側から突設した３つのガイド壁２９の間に、リンクロッド７０，７１の基端部側が入り込んだ状態で回転部材５０に枢着されるため、一対のリンクロッド７０，７１は、その内側辺７７，７７どうしが、互いに略平行となるように対向して配置されている。
【００４０】
図８に示すように、上記の如く配置された一対のリンクロッド７０，７１の対向した内側辺７７，７７のうち、一方のリンクロッド７０の内側辺７７には、キーシリンダ８０のキー突起８５（図３（ｂ）参照）が係脱して、リンクロッド７０のスライド動作を規制する係合部７８が突設されている。
【００４１】
本実施形態では、トーションスプリング９０により各フック部７３が各ロック部３に係合する方向に突出された状態で、キーシリンダ配置部２５の周縁に近接する位置となるように、リンクロッド７０の内側辺７７から凸状の係合部７８が突設されている。なお、係合部７８は、凸状でなくても、凹状等をなしていてもよく、キーシリンダ８０のキー突起８５が係脱可能な形状であれば、特に限定されない。
【００４２】
次に、図５（ａ），（ｂ）を参照して、前記ハウジング２０に押し込み可能に取付けられた操作部材６０について説明する。
【００４３】
この操作部材６０は、前記ハウジング２０の凹部２４に適合する横長板状をなした押圧部６１を有しており、この押圧部６１の裏側中心からは、コイルスプリング９５の他端部を支持するスプリング支持突部６２が突設されている。
【００４４】
前記押圧部６１の裏側の幅方向両側には、一対の係止片６３，６３が突設されていると共に、同押圧部６１の裏側周縁からは、複数のガイド片６４が突設されている。各係止片６３には、コ字状スリットを介して係止爪６３ａが撓み可能に形成されている。そして、一対の係止片６３，６３及び各ガイド片６４が、ハウジング２０のスライド孔３７に挿入されて、操作部材６０がスライドガイドされると共に、係止片６３の係止爪６３ａが、ハウジング両側のスライド孔３７の端縁に係止することで、ハウジング２０に対して操作部材６０が抜け止め保持されるようになっている。
【００４５】
また、前記押圧部６１の裏側からは、一対の壁部６５，６５が立設されている。図７に示すように、一対の壁部６５，６５は、回転部材５０の回転中心Ｃ１に対して周方向に均等な間隔をあけて配置されると共に、回転部材５０の回転軸方向から見たときに、カム突起５５，５５の回動方向に沿った円弧状に形成されている。
【００４６】
図５（ｂ）及び図１０に示すように、一対の壁部６５，６５には、回転部材５０のカム突起５５，５５にそれぞれ当接して、操作部材６０の押し込み力を回転部材５０の回転力へと変換するための、カム斜面６６，６６がそれぞれ設けられている。ここでは、円弧状の壁部６５の端面が、周方向に沿って次第に高さが低くなるように、かつ、周方向に沿って斜めにカットされてカム斜面６６をなしている。また、カム斜面６６の最も高い一端部６６ａ，６６ａどうしと、最も低い周方向他端部６６ｂ，６６ｂどうしとが、斜めに対向するように、一対の壁部６５，６５が配置されている。
【００４７】
上記操作部材６０は、ハウジング２０との間に介装されたコイルスプリング９５によって、常時、ハウジング２０の前面から離れる方向に付勢され、かつ、係止片６３の係止爪６３ａがハウジング２０のスライド孔３７の端縁に係合して抜け止めされた状態で、ハウジング２０に押し込み可能に装着されるようになっている。
【００４８】
そして、上記状態からコイルスプリング９５の付勢力に抗して、ハウジング２０に対して操作部材６０を押し込んでいくと（図１０参照）、壁部６５，６５のカム斜面６６，６６により、カム突起５５，５５がそれぞれ押圧されて、カム突起５５がカム斜面上を摺動すると共に、トーションスプリング９０の回転付勢力に抗して、回転部材５０が矢印Ａ２方向（図１１（ｂ）参照）に回転し、一対のリンクロッド７０，７１のフック部７３，７３が、グローブボックス１のロック部３，３に係合しない方向にスライドするようになっている（図１２参照）。なお、ハウジング２０のガイド壁２９により、リンクロッド７０，７１の内側辺７７，７７どうしが互いに略平行に保持されているため、一対のリンクロッド７０，７１は、互いに略平行な状態を維持しながらスライドするようになっている。
【００４９】
次に、上記ハウジング２０に対して回動可能に装着され、前記リンクロッド７０，７１のスライド動作を規制するキーシリンダ８０について説明する。
【００５０】
図３（ａ），（ｂ）に示すように、このキーシリンダ８０は、略円筒状のケース８１と、このケース８１内に回動可能に配置されると共に、正面側に鍵穴８３ａが設けられた回動体８３と、この回動体８３の背面側であって、回動体８３の回動中心Ｃ２（図８参照）に対して偏心した位置から突設したキー突起８５とを有している。
【００５１】
上記キーシリンダ８０は、前記ハウジング２０のキーシリンダ配置部２５に挿入されて、前記操作部材６０とは別体でハウジング２０に取付けられていると共に、ハウジング２０に対して回動可能となっている。
【００５２】
この実施形態では、図８に示すように、キーシリンダ８０は、リンクロッド７０，７１のスライド方向Ａ３において、回転部材５０の側方に位置するように、また、その回動体８３の回動中心Ｃ２が、一対のリンクロッド７０，７１の対向した内側辺７７，７７を含む面Ｐ，Ｐどうしの間に位置するように、ハウジング２０に取付けられている。
【００５３】
そして、鍵穴８３ａに図示しないキーを差し込んで、回動体８３をハウジング２０に対して回動させると、回動体８３と共にキー突起８５が回動して、図９に示すように、キー突起８５がリンクロッド７０の係合部７８の基端部側の内側面に係合するようになっている。
【００５４】
更にキーシリンダ８０は、リンクロッド７０，７１のスライド方向Ａ３において、その回動体８３の回動中心Ｃ２が回転部材５０の回転中心Ｃ１に整合するように、ハウジング２０に取付けられており（図８参照）、図９に示すように、キー突起８５がリンクロッド７０の係合部７８に係合して、フック部７３がロック部３に係合しない方向にスライドするのを規制された状態で、キー突起８５と、回動体８３の回動中心Ｃ２とが、リンクロッド７０，７１のスライド方向Ａ３に沿って配置されるように構成されている。
【００５５】
次に、上記構成部材からなるロック装置１０の作用効果について説明する。
【００５６】
このロック装置１０は、グローブボックス１の開口部２を閉じる前の状態において、トーションスプリング９０により回転部材５０が矢印Ａ１方向（図６参照）に回転付勢され、それによって一対のリンクロッド７０，７１が、グローブボックス１のロック部３，３に係合する方向に、フック部７３，７３が互いに離れるように付勢されている。
【００５７】
そして、図８に示すように、キー突起８５をリンクロッド７０の係合部７８に係合させずに、リンクロッド７０，７１がスライド可能とされた状態で、グローブボックス１の開口部２を閉じるべく、リッド５を押し込んでいく。すると、リンクロッド７０，７１の各フック部７３のテーパ面が、開口部２の両側内面に押圧されて、トーションスプリング９０の回転付勢力に抗して、各リンクロッド７０，７１がリッド内方に向けて引き込まれていき、各フック部７３が開口部２の凹状のロック部３，３に至ると、トーションスプリング９０により回転部材５０が回転付勢されて、リンクロッド７０，７１が再度リッド外方に向けて押し出され、各フック部７３，７３がロック部３，３にそれぞれ係合して、グローブボックス１の開口部２をリッド５で閉じた状態にロックすることができる（図１１参照）。
【００５８】
上記状態で鍵穴８３ａに図示しないキーを差し込んで、回動体８３をハウジング２０に対して回動させると、図９に示すように、回動体８３と共にキー突起８５が回動して、リンクロッド７０の係合部７８の基端部側の内側面に係合するので、リンクロッド７０のスライド動作が規制されると共に、回転部材５０を介してリンクロッド７０に連動するリンクロッド７１のスライド動作も規制されて、グローブボックス１の開口部２をリッド５で閉じた状態に保持することができる。
【００５９】
そして、このロック装置１０においては、キーシリンダ８０は、操作部材６０とは別体でハウジング２０に取付けられているので、仮に、キー突起８５によりリンクロッド７０，７１のスライド動作が規制された状態で、操作部材６０に予期しえない過度の押し込み力等が作用しても、キーシリンダ８０が操作部材６０と連動して動くことを防止することができる。その結果、キー突起８５の、リンクロッド７０の係合部７８の側面に対する係合しろを維持することができるので、キー突起８５がリンクロッド７０の係合部７８に、確実に係合した状態に保持することができ、リンクロッド７０のスライド動作を確実に規制することができると共に、回転部材５０を介して連動するリンクロッド７１のスライド動作も確実に規制することができ、グローブボックス１の開口部２を、リッド５によって閉じた状態に安定して保持することができる。
【００６０】
上記のように一対のリンクロッド７０，７１のスライド動作が規制されることで、併せて回転部材５０の回転動作も規制することができると共に、操作部材６０の押し込み動作も規制することができるので、当該ロック装置１０の利用者は、操作部材６０を押しても動かないことによって、グローブボックス１の開口部２がリッド５で閉じた状態にロックされた状態であることを確実に把握することができる。
【００６１】
また、キーシリンダ８０のキー突起８５を利用して、リンクロッド７０のスライド動作を規制するように構成したので、上記特許文献１のグラブボックスにおけるストッパ部材のような部材が不要となり、ロック装置１０全体の部品点数を削減して、ロック装置１０を簡単な構造にすることができ、そのコストも低減することができる。
【００６２】
更に本実施形態においては、図８に示すように、一対のリンクロッド７０，７１は、キーシリンダ８０の回動体８３の回動平面に対して垂直な方向から見て、回転部材５０の回転中心Ｃ１が両リンクロッド７０，７１の内側辺７７，７７の間に配置されるように、内側辺７７，７７どうしが対向して配置され、リンクロッド７０の内側辺７７に係合部７８が突設されていると共に、キーシリンダ８０が、リンクロッド７０，７１のスライド方向Ａ３において、回転部材５０の側方に配設されて、そのキー突起８５が、リンクロッド７０の内側辺７７の係合部７８に係合するようになっている。そのため、リンクロッド７０，７１がロック装置１０の垂直方向に並べて配置され、ロック装置１０の厚さを薄くすることができると共に、リンクロッド７０，７１のスライド方向Ａ３に沿って、回転部材５０及びキーシリンダ８０が並べて配置されて、ロック装置１０の幅方向も小型化することができるので、ロック装置１０を全体としてコンパクトな構造にすることができる。
【００６３】
また、この実施形態においては、図８に示すように、キーシリンダ８０の回動体８３の回動中心Ｃ２が、一対のリンクロッド７０，７１の対向した内側辺７７，７７を含む面Ｐ，Ｐどうしの間に位置するので、リンクロッド７０，７１のスライド方向Ａ３において、キーシリンダ８０を回転部材５０に対して略整合する位置に並べて配置することができ、ロック装置１０をよりコンパクトにすることができる。更に回転部材５０とキーシリンダ８０とが、リンクロッド７０，７１のスライド方向Ａ３に沿って配列されるので、見栄えを向上させることができる。
【００６４】
この実施形態においては、図９に示すように、キー突起８５がリンクロッド７０の係合部７８に係合して、リンクロッド７０のスライ動作が規制された状態において、キー突起８５と、回動体８３の回動中心Ｃ２とが、リンクロッド７０，７１のスライド方向Ａ３に沿って配置されるように構成されているので、同状態で、外力等によってリンクロッド７０がスライド方向内方に押されて、係合部７８を介してキー突起８５に押圧力Ｆが作用しても、押圧力Ｆが回動体８３の回動中心Ｃ２上に働くため、回転モーメントＭが作用しにくく、キーシリンダ８０の回動体８３を回動させにくくすることができ、リンクロッド７０のスライド動作をより確実に規制することができる。
【００６５】
一方、グローブボックス１の開口部２からリッド５を開く場合には、キーシリンダ８０の鍵穴８３ａに図示しないキーを差し込んで、上記ロック方向（図９参照）とは反対方向に、回動体８３を回動させて、キー突起８５をリンクロッド７０の係合部７８から離して、図８に示すように、リンクロッド７０，７１をスライド可能な状態とする。
【００６６】
この状態でコイルスプリング９５の付勢力に抗して、ハウジング２０に対して操作部材６０を押し込む。すると、操作部材６０の壁部６５，６５のカム斜面６６，６６によって、回転部材５０のカム突起５５，５５がそれぞれ押圧されて、図１０の矢印Ａ４に示すように、カム突起５５がカム斜面６６上を摺接しながら周方向一端部６６ａから他端部６６ｂへと移動すると共に、トーションスプリング９０の回転付勢力に抗して、ハウジング２０の軸部２７を中心にして回転部材５０が矢印Ａ２方向（図１１（ｂ）参照）に回転し、一対のリンクロッド７０，７１のフック部７３，７３が、グローブボックス１のロック部３，３に係合しない位置にスライドし（図１２参照）、グローブボックス１の開口部２からリッド５を移動させて、開口部２を開くことができる。
【００６７】
図１３〜１７には、本発明に係る開閉体のロック装置の他の実施形態が示されている。なお、前記実施形態と実質的に同一部分には同符号を付してその説明を省略する。
【００６８】
図１３〜１５に示すように、この実施形態の開閉体のロック装置１０ａ（以下、「ロック装置１０ａ」）は、ハウジング２０ａと、該ハウジング２０ａの背面側に回転可能に装着された回転部材５０ａと、該回転部材５０ａに連結された一対のリンクロッド７０ａ，７１と、これらのリンクロッド７０ａ，７１の各フック部７３を、グローブボックス１のロック部３，３に係合する方向となるように、回転部材５０ａを回転付勢するトーションスプリング９０ａと、前記ハウジング２０ａの正面側に回動可能に取付けられたノブ状の操作部材６０ａとを有している。
【００６９】
ハウジング２０ａは、横長の四角枠状の基部２２と、該基部２２の一側部に連設されたキーシリンダ配置部２５ａとを有している。基部２２の背面側には、回転部材５０ａを回転可能に収容するための、円形状の凹部２６が設けられており、また、基部２２の正面側であって、前記凹部２６に対応する位置には、凹部２６に連通する切欠き孔２８が形成されている。更に基部２２の正面側の幅方向一側部からは側壁３０が立設されており、その内面には、操作部材６０ａを回動支持するための支軸３２が突設されている。また、基部２２のキーシリンダ配置部２５ａに隣接した内側面からも、上記と同様の支軸３２が突設されている。
【００７０】
図１５（ａ），（ｂ）に示すように、回転部材５０ａは、回転体５１ａを有し、この回転体５１ａの正面側には、その中央から支軸５４が突設されていると共に、周縁の所定位置から突起状の受け部５６が突設されている。そして、ハウジング２０ａの凹部２６に回転部材５０ａを収容して、図示しない支持孔に支軸５４を挿入することにより、受け部５６がハウジング２０ａの切欠き孔２８に整合する位置で、ハウジング２０ａに回転部材５０ａが回転可能に装着されると共に、同回転部材５０ａは、トーションスプリング９０ａにより、矢印Ａ１方向（図１６参照）に回転付勢されるようになっている。
【００７１】
更に、回転体５１ａの外周からは、キーシリンダ８０のキー突起８５が係脱して、リンクロッド７０ａのスライド動作を規制する、棒状の係合部５８が所定長さで延設されている。ここでは、回転部材５０ａがハウジング２０ａに回転可能に装着されたときに、係合部８５の先端部が、回動体８３の背面側に配置されるように、回転体５１ａの外周から伸びている。
【００７２】
なお、図１６に示すように、リンクロッド７０ａの内側辺７７側であって、キーシリンダ８０が配置される部分には凹部７２が設けられており、この凹部７２内をキー突起８５が回動するようになっている。
【００７３】
操作部材６０ａは、長板状の正面壁６７と、該正面壁６７の幅方向両側の背面側から突出した側壁６８，６８とを有しており、側壁６８，６８の図示しない支持孔にハウジング２０ａの支軸３２，３２に挿入することで、ハウジング２０ａに操作部材６０ａが、上下に回動可能に装着されるようになっている。前記正面壁６７の裏側には、ハウジング２０ａの切欠き孔２８内に入り込んで、回転部材５０ａの受け部５６を押圧する押圧子６９が突設されている。
【００７４】
上記操作部材６０ａの正面壁６７の下縁部を把持して、操作部材６０ａを上方に引き上げるように回動させると、切欠き孔２８を介して押圧子６９が回転部材５０ａの受け部５６を押圧し、トーションスプリング９０ａの付勢力に抗して回転部材５０ａを回転させて、一対のリンクロッド７０ａ，７１のフック部７３，７３を、グローブボックス１のロック部３，３に係合しない方向にスライドさせるようになっている。
【００７５】
そして、トーションスプリング９０ａの回転付勢力により、一対のリンクロッド７０ａ，７１の各フック部７３，７３がロック部３，３にそれぞれ係合した状態で、鍵穴８３ａに図示しないキーを差し込んで、回動体８３をハウジング２０ａに対して回動させると、回動体８３と共にキー突起８５が回動して、回転部材５０ａの係合部５８の内側面に係合するので（図１７参照）、回転部材５０ａの回動を規制して、リンクロッド７０ａ及び７１のスライド動作を規制することができる。
【００７６】
以上説明した２つの実施形態においては、トーションスプリング９０，９０ａを用いて回転部材５０，５０ａを回転付勢させることで、間接的にリンクロッド７０，７０ａや、リンクロッド７１をスライド付勢させたが、例えば、引張りばねやコイルスプリング等を用いて、リンクロッド７０，７０ａやリンクロッド７１の一方又は両方を、そのフック部７３がロック部３に係合する方向となるように、直接的にスライド付勢したり、同じく引張りばねやコイルスプリング等を用いて、回転部材５０，５０ａを回転付勢させたりしてもよく、特に限定されるものではない。その場合には、引張りばねやコイルスプリング等が、本発明における「スプリング」をなす。
【００７７】
また、上記実施形態では、一対のリンクロッドをロータ状の回転部材を介して連動するようになっているが、これに限定されるものではない。例えば、ロータ状の回転部材の代わりにピニオンギヤ（本発明の「回転部材」をなす）を採用すると共に、一対のリンクロッドにラック溝をそれぞれ形成しておき、このラック溝に前記ピニオンギヤに歯合させて、一方のリンクロッドをスライドさせることで、ピニオンギヤを介して他方のリンクロッドをスライドさせるようにしてもよい。
【００７８】
更に上記実施形態では、操作部材６０はハウジング２０に対して押し込み可能に取付けられ、操作部材６０ａはハウジング２０ａに対して回動可能に取付けられているが、例えば、ハウジングに対して操作部材がスライド可能に取付けられていたりしていてもよく、ハウジングに対する操作部材の取付け態様は特に限定されない。
【００７９】
また、上記実施形態では、開閉体のロック装置を、グローブボックス１の開口部２にリッド５が開閉可能に取付けられた構造に適用したが、これに限定されず、例えば、インストルメントパネルの開口部にグローブボックスが回動可能に取付けられた構造や（インストルメントパネルが「固定体」、グローブボックスが「開閉体」をなす）、インストルメントパネルの開口部にリッドが開閉可能に取付けられた構造（インストルメントパネルが「固定体」、リッドが「開閉体」をなす）等に適用してもよく、固定体の開口部を開閉する各種の開閉体に広く用いることができる。
【００８０】
更に、固定体側に、ハウジング、回転部材、リンクロッド、スプリング、操作部材、及びキーシリンダを装着し、開閉体側にロック部を設けるようにしてもよい。
【符号の説明】
【００８１】
１  グローブボックス（固定体）
２  開口部
３，３ａ  ロック部
５，５ａ  リッド（開閉体）
１０，１０ａ  ロック装置
２０，２０ａ  ハウジング
４０  ベゼル
５０，５０ａ  回転部材
５８  係合部
６０，６０ａ  操作部材
７０，７０ａ，７１  リンクロッド
７７  内側辺
７８  係合部
８０  キーシリンダ
８３  回動体
８５  キー突起
９０，９０ａ  トーションスプリング（スプリング）
【図１】
2014030531.tif 000003
【図２】
2014030531.tif 000004
【図３】
2014030531.tif 000005
【図４】
2014030531.tif 000006
【図５】
2014030531.tif 000007
【図６】
2014030531.tif 000008
【図７】
2014030531.tif 000009
【図８】
2014030531.tif 000010
【図９】
2014030531.tif 000011
【図１０】
2014030531.tif 000012
【図１１】
2014030531.tif 000013
【図１２】
2014030531.tif 000014
【図１３】
2014030531.tif 000015
【図１４】
2014030531.tif 000016
【図１５】
2014030531.tif 000017
【図１６】
2014030531.tif 000018
【図１７】
2014030531.tif 000019
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
固定体の開口部に開閉可能に取付けられる開閉体のロック装置であって、  前記開閉体の両側又は前記固定体の開口部両側のどちらか一方に設けられたロック部と、  前記開閉体又は前記固定体のどちらか他方に取付けられたハウジングと、  該ハウジングに回転可能に装着された回転部材と、  前記回転部材の回転に連動して同期してスライド動作し、先端に形成されたフック部が前記ロック部に係脱する一対のリンクロッドと、  前記リンクロッドの各フック部を前記ロック部に係合させる方向に、前記リンクロッドを付勢するスプリングと、  前記ハウジングに取付けられ、前記一対のリンクロッドの各フック部を、前記スプリングの付勢力に抗して前記ロック部に係合しない方向にスライドさせる操作部材と、  前記ハウジングに対して回動可能で、かつ、キー突起が突設された回動体を有していると共に、前記ハウジングに前記操作部材とは別体で取付けられたキーシリンダとを備え、  前記一対のリンクロッドは、一方のリンクロッドが他方のリンクロッドよりも長く形成されており、  前記キーシリンダの回動体を回動させることにより、前記キー突起が、前記一対のリンクロッドの長い方のリンクロッドに係合して、前記一対のリンクロッドの各フック部が、前記ロック部に係合しない方向にスライドするのを規制するように構成されていることを特徴とする開閉体のロック装置。
【請求項２】
前記一対のリンクロッドは、前記キーシリンダの回動体の回動平面に対して垂直な方向から見て、前記回転部材の回転中心が両リンクロッドの内側辺の間に配置されるように、内側辺どうしが対向して配置され、該一対のリンクロッドの対向した内側辺のうち、一方のリンクロッドの内側辺に、前記キー突起が係合する係合部が設けられており、前記キーシリンダは、前記リンクロッドのスライド方向において、前記回転部材の側方に位置するように、前記ハウジングに取付けられている請求項１記載の開閉体のロック装置。
【請求項３】
前記キーシリンダの回動体の回動中心が、前記一対のリンクロッドの対向した内側辺を含む面どうしの間に位置するように、前記ハウジングに取付けられている請求項２記載の開閉体のロック装置。
【請求項４】
前記キー突起が前記リンクロッドの係合部に係合して、前記一対のリンクロッドの各フック部が、前記ロック部に係合しない方向にスライドするのを規制された状態で、前記キー突起と、前記回動体の回動中心とが、前記リンクロッドのスライド方向に沿って配置されるように構成されている請求項２又は３記載の開閉体のロック装置。
【請求項５】
固定体の開口部に開閉可能に取付けられる開閉体のロック装置であって、  前記開閉体の両側又は前記固定体の開口部両側のどちらか一方に設けられたロック部と、  前記開閉体又は前記固定体のどちらか他方に取付けられたハウジングと、  該ハウジングに回転可能に装着された回転部材と、  前記回転部材の回転に連動して同期してスライド動作し、先端に形成されたフック部が前記ロック部に係脱する一対のリンクロッドと、  前記リンクロッドの各フック部を前記ロック部に係合させる方向に、前記リンクロッドを付勢するスプリングと、  前記ハウジングに取付けられ、前記一対のリンクロッドの各フック部を、前記スプリングの付勢力に抗して前記ロック部に係合しない方向にスライドさせる操作部材と、  前記ハウジングに対して回動可能で、かつ、キー突起が突設された回動体を有していると共に、前記ハウジングに前記操作部材とは別体で取付けられたキーシリンダとを備え、  前記キーシリンダの回動体を回動させることにより、前記キー突起が前記回転部材に係合して、前記一対のリンクロッドの各フック部が、前記ロック部に係合しない方向にスライドするのを規制するように構成されていることを特徴とする開閉体のロック装置。
【請求項６】
前記回転体の外周から、前記キーシリンダのキー突起が係脱して、前記一対のリンクロッドのスライドを規制する係合部が、所定長さで延設されている請求項５記載の開閉体のロック装置。
【手続補正２】
【補正対象書類名】明細書
【補正対象項目名】００１４
【補正方法】変更
【補正の内容】
【００１４】  上記目的を達成するため、本発明は、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに取付けられ、前記一対のリンクロッドの各フック部を、前記スプリングの付勢力に抗して前記ロック部に係合しない方向にスライドさせる操作部材と、前記ハウジングに対して回動可能で、かつ、キー突起が突設された回動体を有していると共に、前記ハウジングに前記操作部材とは別体で取付けられたキーシリンダとを備え、前記一対のリンクロッドは、一方のリンクロッドが他方のリンクロッドよりも長く形成されており、前記キーシリンダの回動体を回動させることにより、前記キー突起が、前記一対のリンクロッドの長い方のリンクロッドに係合して、前記一対のリンクロッドの各フック部が、前記ロック部に係合しない方向にスライドするのを規制するように構成されていることを特徴とする開閉体のロック装置を提供するものである。
【手続補正３】
【補正対象書類名】明細書
【補正対象項目名】００１７
【補正方法】変更
【補正の内容】
【００１７】  本発明の開閉体のロック装置においては、前記キー突起が前記リンクロッドの係合部に係合して、前記一対のリンクロッドの各フック部が、前記ロック部に係合しない方向にスライドするのを規制された状態で、前記キー突起と、前記回動体の回動中心とが、前記リンクロッドのスライド方向に沿って配置されるように構成されていることが好ましい。  本発明のもう１つは、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに取付けられ、前記一対のリンクロッドの各フック部を、前記スプリングの付勢力に抗して前記ロック部に係合しない方向にスライドさせる操作部材と、前記ハウジングに対して回動可能で、かつ、キー突起が突設された回動体を有していると共に、前記ハウジングに前記操作部材とは別体で取付けられたキーシリンダとを備え、前記キーシリンダの回動体を回動させることにより、前記キー突起が前記回転部材に係合して、前記一対のリンクロッドの各フック部が、前記ロック部に係合しない方向にスライドするのを規制するように構成されていることを特徴とする開閉体のロック装置を提供するものである。  上記開閉体のロック装置においては、前記回転体の外周から、前記キーシリンダのキー突起が係脱して、前記一対のリンクロッドのスライドを規制する係合部が、所定長さで延設されていることが好ましい。
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
固定体の開口部に開閉可能に取付けられる開閉体のロック装置であって、
前記固定体の開口部両側に設けられたロック部と、
前記開閉体に取付けられたハウジングと、
該ハウジングに回転可能に装着された回転部材と、
前記回転部材の回転に連動して同期してスライド動作するように前記回転部材に連結され、先端に形成されたフック部が前記ロック部に係脱する一対のリンクロッドと、
前記リンクロッドの各フック部を前記ロック部に係合させる方向に、前記リンクロッドを付勢するスプリングと、
前記ハウジングに取付けられ、前記一対のリンクロッドの各フック部を、前記スプリングの付勢力に抗して前記ロック部に係合しない方向にスライドさせる操作部材と、
前記ハウジングに対して回動可能で、かつ、キー突起が突設された回動体を有していると共に、前記ハウジングに前記操作部材とは別体で取付けられたキーシリンダとを備え、
前記リンクロッドのフック部の外面にテーパ面が形成され、前記開閉体を閉じるときに、前記固定体の開口部の両側内面に前記テーパ面が押圧されて、前記開閉体の内方に引き込まれるように構成されており、
前記回転部材は、前記リンクロッドが連結される部分にピンを有し、前記リンクロッドは、前記ピンが嵌合する嵌合凹部を有し、前記ピンは、前記ハウジングから突出して、前記リンクロッドのテーパ面と反対の外面側から、前記嵌合凹部に嵌合しており、
前記一対のリンクロッドは、一方のリンクロッドが他方のリンクロッドよりも長く形成されており、
前記キーシリンダの回動体を回動させることにより、前記キー突起が、前記一対のリンクロッドの長い方のリンクロッドに係合して、前記一対のリンクロッドの各フック部が、前記ロック部に係合しない方向にスライドするのを規制するように構成されていることを特徴とする開閉体のロック装置。
【請求項２】
前記一対のリンクロッドは、前記キーシリンダの回動体の回動平面に対して垂直な方向から見て、前記回転部材の回転中心が両リンクロッドの内側辺の間に配置されるように、内側辺どうしが対向して配置され、該一対のリンクロッドの対向した内側辺のうち、一方のリンクロッドの内側辺に、前記キー突起が係合する係合部が設けられており、前記キーシリンダは、前記リンクロッドのスライド方向において、前記回転部材の側方に位置するように、前記ハウジングに取付けられている請求項１記載の開閉体のロック装置。
【請求項３】
前記キーシリンダの回動体の回動中心が、前記一対のリンクロッドの対向した内側辺を含む面どうしの間に位置するように、前記ハウジングに取付けられている請求項２記載の開閉体のロック装置。
【請求項４】
前記キー突起が前記リンクロッドの係合部に係合して、前記一対のリンクロッドの各フック部が、前記ロック部に係合しない方向にスライドするのを規制された状態で、前記キー突起と、前記回動体の回動中心とが、前記リンクロッドのスライド方向に沿って配置されるように構成されている請求項２又は３記載の開閉体のロック装置。
【請求項５】
固定体の開口部に開閉可能に取付けられる開閉体のロック装置であって、
前記開閉体の両側又は前記固定体の開口部両側のどちらか一方に設けられたロック部と、
前記開閉体又は前記固定体のどちらか他方に取付けられたハウジングと、
該ハウジングに回転可能に装着された回転部材と、
前記回転部材の回転に連動して同期してスライド動作し、先端に形成されたフック部が前記ロック部に係脱する一対のリンクロッドと、
前記リンクロッドの各フック部を前記ロック部に係合させる方向に、前記リンクロッドを付勢するスプリングと、
前記ハウジングに取付けられ、前記一対のリンクロッドの各フック部を、前記スプリングの付勢力に抗して前記ロック部に係合しない方向にスライドさせる操作部材と、
前記ハウジングに対して回動可能で、かつ、キー突起が突設された回動体を有していると共に、前記ハウジングに前記操作部材とは別体で取付けられたキーシリンダとを備え、
前記キーシリンダの回動体を回動させることにより、前記キー突起が前記回転部材に係合して、前記一対のリンクロッドの各フック部が、前記ロック部に係合しない方向にスライドするのを規制するように構成されていることを特徴とする開閉体のロック装置。
【請求項６】
前記回転体の外周から、前記キーシリンダのキー突起が係脱して、前記一対のリンクロッドのスライドを規制する係合部が、所定長さで延設されている請求項５記載の開閉体のロック装置。
【手続補正２】
【補正対象書類名】明細書
【補正対象項目名】００１４
【補正方法】変更
【補正の内容】
【００１４】
上記目的を達成するため、本発明は、固定体の開口部に開閉可能に取付けられる開閉体のロック装置であって、前記固定体の開口部両側に設けられたロック部と、前記開閉体に取付けられたハウジングと、該ハウジングに回転可能に装着された回転部材と、前記回転部材の回転に連動して同期してスライド動作するように前記回転部材に連結され、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに取付けられ、前記一対のリンクロッドの各フック部を、前記スプリングの付勢力に抗して前記ロック部に係合しない方向にスライドさせる操作部材と、前記ハウジングに対して回動可能で、かつ、キー突起が突設された回動体を有していると共に、前記ハウジングに前記操作部材とは別体で取付けられたキーシリンダとを備え、前記リンクロッドのフック部の外面にテーパ面が形成され、前記開閉体を閉じるときに、前記固定体の開口部の両側内面に前記テーパ面が押圧されて、前記開閉体の内方に引き込まれるように構成されており、前記回転部材は、前記リンクロッドが連結される部分にピンを有し、前記リンクロッドは、前記ピンが嵌合する嵌合凹部を有し、前記ピンは、前記ハウジングから突出して、前記リンクロッドのテーパ面と反対の外面側から、前記嵌合凹部に嵌合しており、前記一対のリンクロッドは、一方のリンクロッドが他方のリンクロッドよりも長く形成されており、前記キーシリンダの回動体を回動させることにより、前記キー突起が、前記一対のリンクロッドの長い方のリンクロッドに係合して、前記一対のリンクロッドの各フック部が、前記ロック部に係合しない方向にスライドするのを規制するように構成されていることを特徴とする開閉体のロック装置を提供するものである。
【国際調査報告】
2014030531.tif 000020
2014030531.tif 000021
2014030531.tif 000022
2014030531.tif 000023